(57)【要約】【課題】製造コストの低減が可能な外装部品を具えた光学装置を提供する。【解決手段】本発明に係る光学装置において、レンズ鏡筒10は、合成樹脂製の鏡筒本体11と、該鏡筒本体11の外周面に装着される筒状の外装部品４と、該外装部品４を鏡筒本体11に固定するための合成樹脂製のキャップ部品３とを具え、外装部品４は、金属板を筒状に塑性加工して形成されている。【選択図】図３
2010224087.tif 000002
【特許請求の範囲】
【請求項１】
レンズ鏡筒を具えた光学装置において、レンズ鏡筒は、合成樹脂製の鏡筒本体と、該鏡筒本体の外周面に装着される筒状の外装部品と、該外装部品を鏡筒本体に固定するための合成樹脂製のキャップ部品とを具え、前記外装部品は、金属板を筒状に塑性加工して形成されていることを特徴とする光学装置。
【請求項２】
互いに接合された合成樹脂製のフロントケースとバックケースを具え、該フロントケースに前記鏡筒本体が一体に形成されている請求項１に記載の光学装置。
【請求項３】
前記外装部品は、２つの端縁を有する帯状の金属板をＣ字状に屈曲させて形成され、両端縁の間にギャップが形成されている請求項１又は請求項２に記載の光学装置。
【請求項４】
前記外装部品は、両端縁間のギャップに鏡筒本体の凸部が係合して、鏡筒本体に対する回り止めが施されている請求項３に記載の光学装置。
【請求項５】
前記外装部品は、前記鏡筒本体の外周面に装着された状態で前記キャップ部品を鏡筒本体に締結することによって、鏡筒本体とキャップ部品の間に挟持されている請求項１乃至請求項４の何れかに記載の光学装置。
【発明の詳細な説明】
【技術分野】
【０００１】
本発明は、デジタルカメラ、ビデカメラ、交換レンズユニット、液晶プロジェクター等の、レンズ鏡筒を具えた光学装置に関するものである。
【背景技術】
【０００２】
デジタルカメラにおいては、図１に示す如く、合成樹脂製のフロントケース(１)とバックケース(２)とを互いに接合して携帯可能な筐体(20)が構成されると共に、フロントケース(１)にはレンズ鏡筒(10)が突設され、該筐体(20)及びレンズ鏡筒(10)の内部に、電子部品や光学部品が内蔵されている。
【０００３】
この様なデジタルカメラにおいて、レンズ鏡筒(10)の外周面は装飾を主目的とする外装部品(４)によって覆われており(特許文献１参照)、この様な外装部品によって高級感をだすために、従来は、金属製の外装部品を用いることが行なわれている。
そして、金属製の外装部品をねじによってフロントケースに締結することが行なわれている。
【先行技術文献】
【特許文献】
【０００４】
【特許文献１】特開２００１−２１５３８３号公報
【発明の概要】
【発明が解決しようとする課題】
【０００５】
しかしながら、従来は、金属製の外装部品を作製するために、金属のダイキャスト成形や金属の切削加工(削りだし)が採用されており、外装部品には特に内径や外径に関して充分な寸法精度が必要となるため、製造コストが大きくなる問題があった。
そこで本発明の目的は、製造コストの低減が可能な外装部品を具えた光学装置を提供することである。
【課題を解決するための手段】
【０００６】
本発明に係る光学装置において、レンズ鏡筒(10)は、合成樹脂製の鏡筒本体(11)と、該鏡筒本体(11)の外周面に装着される筒状の外装部品(４)と、該外装部品(４)を鏡筒本体(11)に固定するための合成樹脂製のキャップ部品(３)とを具え、前記外装部品(４)は、金属板を筒状に塑性加工して形成されている。
【０００７】
本発明に係る光学装置によれば、レンズ鏡筒(10)を構成する外装部品(４)を金属板の塑性加工(カーリング加工)によって作製するので、金属のダイキャスト成形や金属の切削加工(削りだし)による製造方法と比較して、費用の低減が可能である。
【０００８】
具体的構成において、外装部品(４)は、２つの端縁(41)(41)を有する帯状の金属板をＣ字状に屈曲させて形成され、両端縁(41)(41)の間にギャップが形成されている。
該具体的構成によれば、外装部品(４)を金属板の塑性加工によって作製したとき、その内径若しくは外径に多少の寸法誤差があったとしても、該外装部品(４)を鏡筒本体(11)に被せ、更にキャップ部品(３)によって外装部品(４)を鏡筒本体(11)に固定したとき、外装部品(４)の内径が鏡筒本体(11)の外径に応じて拡大若しくは縮小することによって、外装部品(４)の内周面が鏡筒本体(11)の外周面に密接することになり、寸法誤差が吸収されることになる。
従って、外装部品(４)の作製において、その内径若しくは外径を過度に精度の高いものとする必要はなく、これによって更なる製造コストの低減が可能である。
【０００９】
更に具体的構成において、前記外装部品(４)は、前記鏡筒本体(11)の外周面に装着された状態で前記キャップ部品(３)を鏡筒本体(11)に締結することによって、鏡筒本体(11)とキャップ部品(３)の間に挟持されている。
該具体的構成によれば、外装部品(４)は鏡筒本体(11)とキャップ部品(３)の間に挟持されているので、外装部品(４)を鏡筒本体(11)に固定するための締結構造は不要となり、これによって組立工程の簡略化と部品点数の削減が図られる。
【発明の効果】
【００１０】
本発明に係る光学装置によれば、外装部品を従来よりも容易に作製することが出来るので、製造コストの低減が可能である。
【図面の簡単な説明】
【００１１】
【図１】本発明の一実施態様であるカメラの外観を示す斜視図である。
【図２】本発明の一実施態様であるカメラのフロントケース、外装部品及びキャップ部品の組立状態を示す斜視図である。
【図３】本発明の一実施態様であるカメラのフロントケース、外装部品及びキャップ部品の分解状態を示す斜視図である。
【図４】外装部品の斜視図である。
【発明を実施するための形態】
【００１２】
以下、本発明をデジタル式のカメラに実施した形態につき、図面に沿って具体的に説明する。
本発明の一実施態様であるカメラにおいては、図１に示す如く合成樹脂製のフロントケース(１)とバックケース(２)とを互いに接合して携帯可能な筐体(20)が構成されると共に、フロントケース(１)にはレンズ鏡筒(10)が突設され、該筐体(20)及びレンズ鏡筒(10)の内部に、電子部品や光学部品が内蔵されている。
又、筐体(20)には、ディスプレイ(６)、ファインダー(７)及びシャッター釦(８)が配備されている。
【００１３】
レンズ鏡筒(10)は、図３に示す如く、フロントケース(１)に一体に形成された鏡筒本体(11)と、該鏡筒本体(11)の外周面に装着される筒状の外装部品(４)と、該外装部品(４)を鏡筒本体(11)に固定するための合成樹脂製のキャップ部品(３)とを具えている。
【００１４】
鏡筒本体(11)は、先端に向かって徐々に縮径する円筒状を呈し、その先端面に複数のねじ孔(12)(12)が形成されている。
外装部品(４)は、円筒状を呈し、鏡筒本体(11)の外径と略等しい内径を有している。
キャップ部品(３)は、外装部品(４)の外径と略等しい内径を有する円筒部(31)と、該円筒部(31)の前面側に形成された前板部(32)とから構成されており、前板部(32)には、複数の貫通孔(33)(33)が開設されている。
【００１５】
外装部品(４)は、図４に示す如く、２つの端縁(41)(41)を有する帯状のアルミニウム板を塑性加工(カーリング加工)によってＣ字状に屈曲させて形成され、両端縁(41)(41)の間には、ギャップが形成されている。
【００１６】
フロントケース(１)の鏡筒本体(11)の外周面に外装部品(４)を装着し、更に、鏡筒本体(11)の外周面と外装部品(４)の外周面に跨ってキャップ部品(３)を被せ、ねじ(５)をキャップ部品(３)の貫通孔(33)から鏡筒本体(11)のねじ孔(12)にねじ込むことによって、図２に示す様にキャップ部品(３)をフロントケース(１)に締結する。これによって、フロントケース(１)とキャップ部品(３)の間に外装部品(４)が挟持されて固定されることになる。
【００１７】
図１に示す様に、レンズ鏡筒(10)の外装部品(４)は、フロントケース(１)とキャップ部品(３)の間からその外周面が大きく露出しており、露出した外周面の光沢によって装飾的効果を与えている。
【００１８】
上記カメラの組立工程において、図３に示すフロントケース(１)の鏡筒本体(11)の外周面に外装部品(４)を装着するとき、外装部品(４)の内径に多少の寸法誤差があったとしても、外装部品(４)はＣ字状に形成されているので、鏡筒本体(11)へ装着される過程で、鏡筒本体(11)の外径に応じて内径が拡大若しくは縮小して、寸法誤差が吸収されることになる。
【００１９】
そして、キャップ部品(３)をねじ(５)によってフロントケース(１)に締結することにより、外装部品(４)は、鏡筒本体(11)とキャップ部品(３)の間に挟圧されて、鏡筒本体(11)に確実に固定されることになる。
尚、外装部品(４)を鏡筒本体(11)に装着することによって、外装部品(４)の両端縁(41)(41)間のギャップに、図３に示す鏡筒本体(11)の凸部(13)が係合して、外装部品(４)に対して回り止めが施される。
【００２０】
上記カメラによれば、外装部品(４)をアルミニウム板の塑性加工(カーリング加工)によって作製するので、金属のダイキャスト成形や金属の切削加工による製造方法と比較して、費用の低減が可能である。
又、外装部品(４)の内径に多少の寸法誤差があったとしても、上述の如く組立工程において寸法誤差が吸収されるので、その内径を過度に精度の高いものとする必要はなく、これによって更なる製造コストの低減が可能である。
【００２１】
更に又、外装部品(４)は鏡筒本体(11)とキャップ部品(３)の間に挟持されているので、外装部品(４)を鏡筒本体(11)に固定するための締結構造は不要となり、これによって組立工程の簡略化と部品点数の削減が図られる。
【００２２】
尚、本発明の各部構成は上記実施の形態に限らず、特許請求の範囲に記載の技術的範囲内で種々の変形が可能である。例えば外装部品(４)は、アルミニウム製に限らず、塑性加工の可能な種々の金属を用いて作製することが出来る。
又、本発明は、デジタル式のカメラに限らず、ビデカメラ、カメラ用の交換レンズユニット、液晶プロジェクター等、種々の光学装置に実施することが出来る。
【符号の説明】
【００２３】
(１)  フロントケース
(２)  バックケース
(10)  レンズ鏡筒
(11)  鏡筒本体
(３)  キャップ部品
(４)  外装部品
(41)  端縁
(５)  ねじ
(６)  ディスプレイ
(７)  ファインダー
(８)  シャッター釦
【図１】
2010224087.tif 000003
【図２】
2010224087.tif 000004
【図３】
2010224087.tif 000005
【図４】
2010224087.tif 000006